(57)【要約】【課題】特別な原石から得られるミネラル液を得る方法を応用して、家庭等で簡単に用い得る、ミネラルを適量添加する機能をも備えた浄水器を提供すること。【解決手段】適宜の小砕石状とした四万十層中の泥岩質部分を充填した、通水にミネラルを添加するミネラル添加部と、このミネラル添加部から送出されるミネラル含有水に対し不純物除去作用を施す、活性炭を充填した不純物除去部とを、この順に接続して構成したことを特徴とする浄水器。【選択図】図１
2004195428.tif 000002
【特許請求の範囲】
【請求項１】
適宜の小砕石状とした四万十層中の泥岩質部分を充填した、通水にミネラルを添加するミネラル添加部と、このミネラル添加部から送出されるミネラル含有水に対し不純物除去作用を施す、活性炭を充填した不純物除去部とを、この順に接続して構成したことを特徴とする浄水器。
【請求項２】
前記泥岩質部分は、緑泥石、方解石および麦飯石の少なくとも１つ以上を含むことを特徴とする請求項１に記載の浄水器。
【発明の詳細な説明】
【０００１】
【発明の属する技術分野】
本発明は浄水器に関し、特に、人体に必要な各種ミネラルを適量添加する機能をも備えた浄水器に関する。
【０００２】
【従来の技術】
近年、水道水の水質に問題があるとされ、容器入りのミネラルウォーターを購入して使用したり、家庭・職場に浄水器を設置したりする人が増えている。
ミネラルウォーターは、元来は、天然に産するものであるが、所望の成分を含むものを求めて、ミネラル含有岩石等を用いて、これから有効成分を抽出して製造することも行われるに至っている。
【０００３】
例えば、本出願人が特許文献１により提案した「ミネラル液およびミネラルの抽出方法並びに前記ミネラル液を含有するミネラル飲料」には、特定の地層中のミネラル含有岩石から有効成分を抽出してミネラル液を得る方法が開示されている。
【０００４】
【特許文献１】
特開２００１−２９２７４９号公報
【０００５】
【発明が解決しようとする課題】
本発明は、上述の特許文献１に記載のミネラル液を得る方法を応用して、家庭等で簡単に用い得る、ミネラルを適量添加する機能をも備えた浄水器を提供することを目的とするものである。
【０００６】
【課題を解決するための手段】
上記目的を達成するため、本発明に係る浄水器は、適宜の小砕石状とした四万十層中の泥岩質部分を充填した、通水にミネラルを添加するミネラル添加部と、このミネラル添加部から送出されるミネラル含有水に対し不純物除去作用を施す、活性炭を充填した不純物除去部とを、この順に接続して構成したことを特徴とする。
【０００７】
ここで、前記泥岩質部分は、緑泥石、方解石および麦飯石の少なくとも１つ以上を含むことが好ましい。
また、前記ミネラル添加部には、小砕石状とした前記泥岩質部分を、荒めの網で作製した袋に収容した形で充填することが取り扱い上好ましいが、これに限るものではない。
【０００８】
【発明の実施の形態】
以下、添付の図面に基づいて、本発明の実施の形態を詳細に説明する。
【０００９】
図１は、本発明の一実施形態に係る浄水器１０の全体構成を概略的に説明する側断面図である。図１に示すように、本実施形態に係る浄水器１０は、本体ベース２０上に係止される機能部としてのミネラル添加部３０と、不純物除去部４０とから主に構成される。また、５１は原水導入パイプ、５２は本実施形態に係る浄水器１０からの送出水（浄化ミネラル水）送出パイプ、５３は上記ミネラル添加部３０と不純物除去部４０を接続する接続パイプである。
【００１０】
本体ベース２０は、長円形のベースの中心線上に、上述のミネラル添加部３０の保持部２２と、不純物除去部４０の保持部２４とを並べて配置した構成を有する。これらの各保持部２２，２４は、ミネラル添加部３０と不純物除去部４０の下端部を嵌め込むための段差部として形成されている。すなわち、ミネラル添加部３０と不純物除去部４０は、この段差部を介して、本体ベース２０上にセットされている。
【００１１】
本体ベース２０の下面は凹状に形成されており、上記保持部２２，２４の内側には、ミネラル添加部３０および不純物除去部４０の下面の水の挿入口、送出口が位置するように構成されている。すなわち、上記ミネラル添加部３０および不純物除去部４０への給水並びに排水等は、すべてこの本体ベース２０の下面の凹状部内において行われる。
【００１２】
ミネラル添加部３０および不純物除去部４０は、外形上は略同じ構成となっており、上述の水の挿入口、送出口を有する下面から立ち上がっている円筒状の側部を有する有底円筒からなる本体部３２，４２と、この本体部３２，４２の上部外周上に形成されたねじ部を介して、この本体部３２，４２の上部に螺合される蓋部３４，４４から構成されている。
【００１３】
なお、ミネラル添加部３０の下面には、後述するミネラル添加用カートリッジ３６を固定するためのねじ部３２１、並びに、このミネラル添加用カートリッジ３６に原水を供給するための原水導入パイプ５１の接続部３２２、このミネラル添加用カートリッジ３６からのミネラル添加処理済み水の送出口である、前述の接続パイプ５３の接続部３２３が設けられている。また、３２４は本体ベース２０の裏面カバーの取付け座である（図２参照）。
【００１４】
また、不純物除去部４０の下面には、後述する不純物除去用カートリッジ４６を固定するためのねじ部４２１、並びに、この不純物除去用カートリッジ４６に上述のミネラル添加処理済み水を導入するための接続パイプ５３の接続部４２２、この不純物除去用カートリッジ４６からの不純物除去処理済み水の送出口である、前述の送出パイプ５２の接続部４２３が設けられている。また、４２４は本体ベース２０の裏面カバーの取付け座である（図３参照）。
【００１５】
以下、概略このように構成されているミネラル添加部３０および不純物除去部４０について、図２〜図７を用いて、その内部構成を詳細に説明する。ここで、図２は、上述のミネラル添加部３０の内部構成を説明する断面図であり、図３は不純物除去部４０内部構成を説明する断面図である。また、図４〜図７は、本実施形態において、上記ミネラル添加部３０および不純物除去部４０に共通的に用いられている、内部に配置されている部品の詳細を示しており、これらについては、図２、図３によるミネラル添加部３０および不純物除去部４０の構成を説明した後に個別に説明することにする。
【００１６】
まず、図２を用いて、ミネラル添加部３０の内部構成を説明する。
図２において、３６はこのミネラル添加部３０にセットされて用いられるミネラル添加用カートリッジを示している。
このミネラル添加用カートリッジ３６は、その下端部が処理対象となる原水送入口３６１を形成しており、この原水送入口３６１の外面に形成されたねじ部と、前述のミネラル添加部３０の底部に立ちあがった形で形成されているカートリッジ受け部の内面に形成されたねじ部３２１とを螺合させて接続されるように構成されている。
【００１７】
ミネラル添加用カートリッジ３６の本体３６２は、図の上方に存する処理済み水の送出口を有する上面を備える円筒状をなしており、この本体３６２の下端側には、上述の原水送入口３６１が形成されている蓋部３６３が圧入され、適宜のシール材により水漏れしないように構成されている。
また、上記ミネラル添加用カートリッジ３６の本体３６２内部には、図中で下方から、入口側一次フィルタブロック３６４、二次フィルタブロック３６５、ミネラル添加源となる小砕石状の原石３６８を収納した袋体３６７を保持するホルダ部３６６、出口側フィルタブロック３６９がこの順序に配置されている。
【００１８】
ここでは、上記入口側一次フィルタブロック３６４は、補強用メッシュ３６４ａとフィルタ本体３６４ｂからなっている。また、二次フィルタブロック３６５としては、円筒状成形フィルタを用いている。ホルダ部３６６は、補強用多孔板３６６ａとフィルタ３６６ｂからなっており、また、補強用多孔板３６６ａの下面には、フィルタ固定用のリブ３６６ｃが突出形成されている。
【００１９】
上述の通り、ここでは、多数の小砕石状のミネラル溶出用の原石３６８を、プラスチック製の網３６７に収納した状態で本カートリッジ３６内に収容している。そして、最終段の出口側フィルタブロック３６９は、フィルタ本体３６９ａとフィルタ支持体３６９ｂから構成されている。
【００２０】
ここで、上述のミネラル溶出用の原石３６８としては、前述の、四万十層中の泥岩質部分である、緑泥石、方解石および麦飯石の少なくとも１つ以上を含むことが好ましい。また、用いる際には、適宜の大きさに砕いて、重量の割りに表面積が大きくなるようにすることが好ましい。
【００２１】
上記泥岩質部分の主成分は、酸化珪素（例えば、約６２重量％）、酸化アルミニウム（例えば、約２１重量％）であるが、酸化鉄、酸化カリウム、酸化ナトリウム、酸化マグネシウム、酸化カルシウムなどが１重量％以上含有され、酸化チタン、酸化マンガンが０．１重量％以上含有されている。また、この他にも、各種ミネラル、硫黄、燐などが、少量ずつ多種類含有されている。
【００２２】
上述のように構成されている本実施形態に係るミネラル添加用カートリッジ３６においては、下端部の原水送入口３６１から送入された原水が、入口側一次フィルタブロック３６４により不純物を濾過された後、二次フィルタブロック３６５において内側から外側に分散する形で上方に送られ、ホルダ部３６６の補強用多孔板３６６ａの周辺部の透孔（図６参照）から上方に送られて、ミネラル添加処理に供される。
【００２３】
そして、ミネラル添加処理に供された後は、処理水は上方の出口側フィルタブロック３６９により再度濾過されて、ミネラル添加用カートリッジ３６外に送り出される。この後、後処理としての、後述する活性炭による不純物除去処理を受けるため次工程に送出される。
【００２４】
次に、図３を用いて、不純物除去部４０の内部構成を説明する。
図３において、４６はこの不純物除去部４０にセットされて用いられる不純物除去用カートリッジを示している。
【００２５】
この不純物除去用カートリッジ４６は、基本的には、前述のミネラル添加用カートリッジ３６と、略同様の構成を有している。但し、この不純物除去用カートリッジ４６の場合には、活性炭による吸着浄化処理を効率的に行う目的で、本カートリッジ４６内における処理水の流れが、先ほど説明したミネラル添加用カートリッジ３６とは逆に、上から下に向かうように構成されている。
【００２６】
それに伴って、構成上も、その下端部が処理済み水の送出口４６１を形成しており、この処理済み水の送出口４６１の外面に形成されたねじ部と、前述の不純物除去部４０の底部に立ちあがった形で形成されているカートリッジ受けの内面に形成されたねじ部４２１とを螺合させて接続されるように構成されていることも同様である。
【００２７】
不純物除去用カートリッジ４６の本体４６２は、図の上方に存する処理済み水の送入口を有する上面を備える円筒状をなしており、この本体４６２の下端側には、上述の処理済み水の送出口４６１が形成されている蓋部４６３が圧入され、適宜のシール材により水漏れしないように構成されている。
【００２８】
そして、この不純物除去用カートリッジ４６の本体４６２内部には、前述のミネラル添加用カートリッジ３６の本体３６２と同様に、図中で下方から、出口側フィルタブロック４６４、二次フィルタブロック４６５、不純物除去媒体となる粗粉末状の活性炭４６８を保持するホルダ部４６６、入口側フィルタブロック４６９がこの順序に配置されている。
【００２９】
なお、ここで、上記出口側フィルタブロック４６４、二次フィルタブロック４６５、ホルダ部４６６、最上段の入口側フィルタブロック４６９は、前述のミネラル添加用カートリッジ３６の本体３６２の、入口側一次フィルタブロック３６４、二次フィルタブロック３６５、ホルダ部３６６、最終段の出口側フィルタブロック３６９等と、それぞれ全く同様に構成されている。
【００３０】
また、ここでは、不純物除去媒体となる粗粉末状の活性炭４６８を、入口側フィルタブロック４６９とホルダ部４６６との間の空間に、バラ状態のまま充填しているが、これは、前述の原石の場合と同様に、細かな網で作製した袋に収容した形で充填するようにしてもよい。
【００３１】
上述のように構成されている本実施形態に係る不純物除去用カートリッジ４６においては、上端部の入口側フィルタブロック４６９から送入された処理済み水が、下方に流れ落ちる過程で活性炭による不純物吸着浄化処理を効率的に行われ、ホルダ部４６６の補強用多孔板４６６ａの周辺部の透孔（図６参照）から落下し、二次フィルタブロック４６５において外側から内側に集合する形で集められ、出口側のフィルタブロック４６４を通過して送出される。
【００３２】
次に、図４〜図７を用いて、上述のミネラル添加用カートリッジ３６および不純物除去用カートリッジ４６内に配置されている部品の構成についてより詳細に説明する。
【００３３】
まず、図４は、上述のミネラル添加用カートリッジ３６および不純物除去用カートリッジ４６の本体３６２および４６２の上面に設けられている水挿通孔の配置例を具体的に示す図である。ここでは、円筒状の上記カートリッジ３６および４６の本体３６２および４６２の内部における均一な流れを形成するために、図に示すような複数のサイズの孔を組み合わせて用いている。この孔のサイズ、あるいはその組み合わせは任意に選定してよい。
【００３４】
また、図５は、上記ミネラル添加用カートリッジ３６の本体３６２並びに不純物除去用カートリッジ４６の本体４６２の上面に設けられている水挿通孔（図４参照）の裏面側にセットされている、出口側フィルタブロック３６９、並びに入口側フィルタブロック４６９のフィルタ支持体３６９ｂおよび４６９ｂを示している。ここでは、フィルタの有効面積を減らすことのないように考慮されたパターンとなっている。
【００３５】
図６は、上記ミネラル添加用カートリッジ３６の本体３６２のミネラル添加処理部の下方、並びに不純物除去用カートリッジ４６の本体４６２の不純物除去処理部の下方にセットされている、ホルダ部３６６並びに４６６の補強用多孔板３６６ａ並びに４６６ａの下面図である。この補強用多孔板３６６ａ並びに４６６ａにおいては、処理水は周辺部の孔（３６６ｄまたは４６６ｄ）を通過して上昇または下降するように構成されている。
【００３６】
なお、図６中の３６６ｃまたは４６６ｃは、上記補強用多孔板３６６ａ並びに４６６ａの下面に設けられている凸部（リブ）を示しており、前述の二次フィルタブロック３６５（ミネラル添加用カートリッジ３６内）、４６５（不純物除去用カートリッジ４６内）を所定の位置に固定する機能を有するものである。
【００３７】
図７は、上記ミネラル添加用カートリッジ３６の本体３６２の下方、並びに不純物除去用カートリッジ４６の本体４６２の下方にセットされている蓋部３６３ならびに４６３の上面図である。図中の記号３６３ａまたは４６３ａは、上記補強用多孔板３６６ａ並びに４６６ａの下面に設けられているリブ（３６６ｃまたは４６６ｃ）と同様のリブであり、リブ３６６ｃまたは４６６ｃと協働して、前述の二次フィルタブロック３６５（ミネラル添加用カートリッジ３６内）、４６５（不純物除去用カートリッジ４６内）を所定の位置に固定する機能を有するものである。
【００３８】
また、図７中の記号３６３ｂまたは４６３ｂは、蓋部３６３並びに４６３の中央部に設けられている処理水の入口（ミネラル添加用カートリッジ３６の場合）もしくは出口（不純物除去用カートリッジ４６の場合）であり、前述の本体ベース２０下部のカートリッジ保持部２２，２４内で、ねじ部３２１，４２１並びにミネラル添加部３０の原水導入パイプ５１の接続部３２２、不純物除去部４０の処理済み水の送出口である送出パイプ５２の接続部４２３を介して、原水導入パイプ５１もしくは、送出パイプ５２に接続されるように構成されている。
【００３９】
本実施形態に係る浄水器１０は上述のように構成されているので、原水を、まず、ミネラル添加処理部に所定の原石を収納しているミネラル添加用カートリッジ３６に挿通し、所定量のミネラルを溶出させた後、次に、その処理済み水を、不純物除去処理部に所定の活性炭を収納している不純物除去用カートリッジ４６に挿通することにより、ミネラル溶出処理時において混入した不純物を、その後の不純物除去処理工程において除去して、安心して使用（飲用等）できるミネラル含有浄化水を得ることが可能になるという効果がある。
【００４０】
なお、上記実施形態に関しては、下記のような変更または改良を行うことが可能である。すなわち、図８、図９に示すように、ミネラル添加用カートリッジ３６に用いる原石を収納する袋体を、カートリッジ内に複数個に分けて収納するようにして、交換を容易にすること等も有効である。さらに、図８、図９に示す分割態様を適宜組み合わせて用いることも有効である。
【００４１】
図１０は、本発明の他の実施形態に係る浄水器１０Ａの全体構成を概略的に説明する側断面図である。図１０に示すように、本実施形態に係る浄水器１０Ａは、本体ベース２０Ａ上に係止される機能部としてのミネラル添加部３０Ａと、不純物除去部４０Ａとから主に構成される。また、５１は原水導入パイプ、５２は本実施形態に係る浄水器１０Ａからの送出水（浄化ミネラル水）送出パイプ、５３は上記ミネラル添加部３０Ａと不純物除去部４０Ａとを接続する接続パイプである。
【００４２】
本体ベース２０Ａは、長円形のベースの中心線上に、上述のミネラル添加部３０Ａの保持部２２Ａと、不純物除去部４０Ａの保持部２４Ａとを並べて配置した構成を有する。これらの各保持部２２Ａ，２４Ａは、ミネラル添加部３０Ａと不純物除去部４０Ａの下端部に設けられたねじ部により、ミネラル添加部３０Ａと不純物除去部４０Ａとを、本体ベース２０Ａ上にセットするように構成されている。
【００４３】
ミネラル添加部３０Ａおよび不純物除去部４０Ａは、基本的には、前述の実施形態に示したものと同様の内部構成を有するものである。前述の実施形態に示したものとの外観上の相違点は、本体部３２Ａ，４２Ａとが、前述の実施形態に示したものでは別体であった蓋部を本体（筒状部）と一体化した形に構成されている点である。なお、図示は省略されているが、各本体部３２Ａ，４２Ａの頂部に、エアー抜きバルブを設けてもよい。
【００４４】
なお、ミネラル添加部３０Ａおよび不純物除去部４０Ａの下端部の、上記本体ベース２０Ａ上には、これら、ミネラル添加部３０Ａおよび不純物除去部４０Ａをねじ部により結合する際における水漏れを防止するためのリング状のパッキン２０１，２０２がセットされている。
【００４５】
また、ミネラル添加部３０Ａの下面には、後述するミネラル添加用カートリッジ３６Ａを固定するためのねじ部３２１、並びに、このミネラル添加用カートリッジ３６Ａに原水を供給するための原水導入パイプ５１の接続部３２２、このミネラル添加用カートリッジ３６Ａからのミネラル添加処理済み水の送出口である、前述の接続パイプ５３の接続部３２３が、それぞれ設けられている（図１１、図１２参照）。
【００４６】
一方、不純物除去部４０Ａの下面には、後述する不純物除去用カートリッジ４６Ａを固定するためのねじ部４２１、並びに、この不純物除去用カートリッジ４６Ａに上述のミネラル添加処理済み水を導入するための接続パイプ５３の接続部４２２、この不純物除去用カートリッジ４６Ａからの不純物除去処理済み水の送出口である、前述の送出パイプ５２の接続部４２３が設けられている（図１３参照）。
【００４７】
以下、概略このように構成されているミネラル添加部３０Ａおよび不純物除去部４０Ａについて、図１１〜図１３を用いて、その内部構成を詳細に説明する。ここで、図１１、図１２は、上述のミネラル添加部３０Ａの内部構成を説明する断面図であり、図１３は不純物除去部４０Ａ内部構成を説明する断面図である。なお、先に説明した実施形態に係る説明と重複する部分については、適宜、省略する。
【００４８】
まず、図１１を用いて、ミネラル添加部３０Ａの内部構成を説明する。
図１１において、３６Ａはこのミネラル添加部３０Ａにセットされて用いられるミネラル添加用カートリッジを示している。このミネラル添加用カートリッジ３６Ａは、その下端部が処理対象となる原水送入口３６１を形成している。この点は、前述の実施形態に示したものと同様である。
【００４９】
ミネラル添加用カートリッジ３６Ａの本体３６２Ａは、図の上方に存する処理済み水の送出口を有する上面を備える円筒状をなしており、この本体３６２Ａの下端側には、上述の原水送入口３６１が形成されている蓋部３６３が圧入され、適宜のシール材により水漏れしないように構成されている。
【００５０】
また、上記ミネラル添加用カートリッジ３６Ａの本体３６２Ａ内部には、図中で下方から、入口側フィルタブロック３６４、ミネラル添加源となる小砕石状の原石３６８を収納した袋体３６７を収容する原石保持部３７０、出口側フィルタブロック３６９Ａがこの順序に配置されている。すなわち、本実施形態に係るミネラル添加用カートリッジ３６Ａの本体３６２Ａ内部には、前述の実施形態に示したような二次フィルタブロック３６５は用いられていない。これは、不純物が比較的少ない場合に好適に用い得る構成例である
【００５１】
上記入口側フィルタブロック３６４は、補強用メッシュ３６４ａとフィルタ本体３６４ｂからなっている。また、ここでは、多数の小砕石状のミネラル溶出用の原石３６８を、プラスチック製の網３６７に収納した状態で上記原石保持部３７０内に収容している。そして、最終段の出口側フィルタブロック３６９Ａは、金網メッシュ３６９ｃとフィルタ支持体３６９ｄから構成されている。
【００５２】
上述のように構成されている本実施形態に係るミネラル添加用カートリッジ３６Ａにおいては、下端部の原水送入口３６１から送入された原水が、入口側フィルタブロック３６４により不純物を濾過された後、原石保持部３７０内を上方に送られ、ミネラル添加処理に供される。
そして、ミネラル添加処理に供された後は、処理水は上方の出口側フィルタブロック３６９Ａにより再度濾過されて、ミネラル添加用カートリッジ３６Ａ外に送り出される。この後、後処理としての活性炭による不純物除去処理を受けるため次工程に送出される。
【００５３】
以下では、図１２を用いて、他の実施形態に係るミネラル添加部３０Ｂの内部構成を説明する。
図１２において、３６Ｂはこのミネラル添加部３０Ｂにセットされて用いられるミネラル添加用カートリッジを示している。このミネラル添加用カートリッジ３６Ｂは、その下端部が処理対象となる原水送入口３６１を形成している。この点は、前述の実施形態に示したものと同様である。
【００５４】
図１１に示した実施形態に係るミネラル添加用カートリッジ３６Ａとの相違点は、まず、本実施形態に係るミネラル添加用カートリッジ３６Ｂにおいては、その入口側フィルタブロック３６４の上方に、下方から、金網メッシュ３６６ｄ、原石保持部３７０を支持する支持プレート３７２（図１４参照）から構成される部分を有している点である。
【００５５】
また、他の相違点は、支持プレート３７２を用いたことにより、原石保持部３７０の構成を、プラスチック製の網３６７を用いずミネラル溶出用の原石３６８を、直接上記支持プレート３７２上に載置（収容）するように変更した点である。これにより、ミネラル溶出用の原石３６８がカートリッジ内で水流によって移動しやすくなり、ミネラル溶出の効率が向上するという効果が得られる。
【００５６】
次に、図１３を用いて、不純物除去部４０Ａの内部構成を説明する。
図１３において、４６Ａはこの不純物除去部４０Ａにセットされて用いられる不純物除去用カートリッジを示している。この不純物除去用カートリッジ４６Ａも、基本的には、前述の実施形態に示したものと同様に、ミネラル添加用カートリッジ３６Ａ、３６Ｂと、略同様の構成を有している。
【００５７】
前述の実施形態に示したものとの相違点は、入口側フィルタブロック４６９Ａの構成にある。すなわち、本実施形態においては、上記入口側フィルタブロック４６９Ａを、下方から、補強用多孔板４６９ｄ、金網メッシュ４６９ｃから構成した点にある。このように構成することにより、フィルタ機能の長寿命化が図れるという効果がある。
【００５８】
図１４は、前述のミネラル添加部３０Ｂの入口側フィルタブロック３６４Ａ上に、金網メッシュ３６６ｄと組み合わせて用いるに好適な、支持プレート３７２の平面図である。なお、この部材は、前述の実施形態においてミネラル添加部３０、不純物除去部４０の上部のフィルタ支持体３６９ｂおよび４６９ｂとして用いられていた部品を、一部形状変更して用いているものであり、図１１〜図１３に示した実施形態においても、フィルタ支持体３６９ｄおよび４６９ｄとして用いられている。
【００５９】
なお、上記実施形態も本発明の一例として示したものであり、本発明はこれに限定されるべきものではない。
例えば、図１５、図１６に示すように、ミネラル添加用カートリッジ３６Ａに用いる原石を収納する袋体を、カートリッジ内に複数個に分けて収納するようにして、交換を容易にすること等も有効である。さらに、図１５、図１６に示す分割態様を適宜組み合わせて用いることも有効である。
【００６０】
また、図示は省略したが、図１、図１０に示したような形状を有する、本発明に係る浄水器を、上下反転するような回転台上にセットし、その一側面にガイドレールを通して保持する構成とすることにより、通常の使用時にはテーブル等の下面側に位置させておき、カートリッジの交換等、必要な場合にのみ、そこから引出して正常位置（図１に示す位置）に配置するようにすれば、スペースが節約でき、また、使い勝手が改善されるという効果がある。
【００６１】
【発明の効果】
以上、詳細に説明したように、本発明によれば、特別な原石から得られるミネラル液を得る方法を応用して、家庭等で簡単に用い得る、ミネラルを適量添加する機能をも備えた効率的な浄水器を実現できるという効果がある。この浄水器は、原石の定期的な交換等も容易に実施可能であり、浄水機能はもちろんのこと、使いやすさに優れたものである。
【図面の簡単な説明】
【図１】本発明の一実施形態に係る浄水器１０の全体構成を概略的に説明する側断面図である。
【図２】ミネラル添加部３０の内部構成を説明する断面図である。
【図３】不純物除去部４０の内部構成を説明する断面図である。
【図４】ミネラル添加用カートリッジ３６および不純物除去用カートリッジ４６の本体３６２および４６２の上面に設けられている水挿通孔の配置例を具体的に示す図である。
【図５】ミネラル添加用カートリッジ３６の本体３６２並びに不純物除去用カートリッジ４６の本体４６２に設けられている出口側フィルタブロック３６９、並びに入口側フィルタブロック４６９のフィルタ支持体３６９ｂおよび４６９ｂを示す図である。
【図６】ミネラル添加用カートリッジ３６の本体３６２、並びに不純物除去用カートリッジ４６の本体４６２にセットされている、ホルダ部３６６並びに４６６の補強用多孔板３６６ａ並びに４６６ａの下面図である。
【図７】ミネラル添加用カートリッジ３６の本体３６２、並びに不純物除去用カートリッジ４６の本体４６２にセットされている蓋部３６３ならびに４６３の上面図である。
【図８】他の実施形態に係る、ミネラル添加用カートリッジ３６に用いる原石を収納する袋体を示す図（その１）である。
【図９】他の実施形態に係る、ミネラル添加用カートリッジ３６に用いる原石を収納する袋体を示す図（その２）である。
【図１０】本発明のさらに他の実施形態に係る浄水器１０Ａの全体構成を概略的に説明する側断面図である。
【図１１】ミネラル添加部３０Ａの内部構成を説明する断面図である。
【図１２】ミネラル添加部３０Ｂの内部構成を説明する断面図である。
【図１３】不純物除去部４０Ａの内部構成を説明する断面図である。
【図１４】ミネラル添加用カートリッジ３６Ａ並びに不純物除去用カートリッジ４６Ａのフィルタ支持体３６９ｄ、４６９ｄ、並びに支持プレート３７２、４７２の構成を示す平面図である。
【図１５】他の実施形態に係る、ミネラル添加用カートリッジ３６Ａまたは３６Ｂに用いる原石を収納する袋体を示す図（その１）である。
【図１６】他の実施形態に係る、ミネラル添加用カートリッジ３６Ａまたは３６Ｂに用いる原石を収納する袋体を示す図（その２）である。
【符号の説明】
１０，１０Ａ  浄水器
２０，２０Ａ  本体ベース
２２，２２Ａ  ミネラル添加部保持部
２４，２４Ａ  不純物除去部保持部
３０，３０Ａ  ミネラル添加部
３２，３２Ａ  ミネラル添加部の本体部
３４  ミネラル添加部の蓋部
３６，３６Ａ  ミネラル添加用カートリッジ
３６１  原水送入口
３６２，３６２Ａ  ミネラル添加用カートリッジの本体
３６３  ミネラル添加用カートリッジの蓋部
３６４  入口側一次フィルタブロック
３６５  二次フィルタブロック
３６６  ホルダ部
３６７  袋体
３６８  原石
３６９，３６９Ａ  出口側フィルタブロック
３７０  原石保持部
３７２  支持プレート
４０，４０Ａ  不純物除去部
４２，４２Ａ  不純物除去部の本体部
４４  不純物除去部の蓋部
４６，４６Ａ  不純物除去用カートリッジ
４６１  処理済み水の送出口
４６２，４６２Ａ  不純物除去用カートリッジの本体
４６３  不純物除去用カートリッジの蓋部
４６４  出口側フィルタブロック
４６５  二次フィルタブロック
４６６  ホルダ部
４６８  活性炭
４６９，４６９Ａ  入口側フィルタブロック
４７２  支持プレート
５１  原水導入パイプ
５２  （浄化ミネラル水）送出パイプ
５３  接続パイプ
【図１】
2004195428.tif 000003
【図２】
2004195428.tif 000004
【図３】
2004195428.tif 000005
【図４】
2004195428.tif 000006
【図５】
2004195428.tif 000007
【図６】
2004195428.tif 000008
【図７】
2004195428.tif 000009
【図８】
2004195428.tif 000010
【図９】
2004195428.tif 000011
【図１０】
2004195428.tif 000012
【図１１】
2004195428.tif 000013
【図１２】
2004195428.tif 000014
【図１３】
2004195428.tif 000015
【図１４】
2004195428.tif 000016
【図１５】
2004195428.tif 000017
【図１６】
2004195428.tif 000018